(57)【特許請求の範囲】
【請求項１】
建物の外部から内部に外気を導入するための通風口装置であって、
軸線周りに回転可能に軸支された軸部に一体に設けられ、且つ前記外気が流通する通風路内に配設され、前記軸部の回転とともに前記通風路を開閉して前記外部と前記内部を連通／遮断する開閉部材と、
外気の温度に応じて変形し、該変形によって生じる力を前記軸部に伝達して前記軸部を回転させるバイメタルとを備えるとともに、
外気の温度に応じて変形する２種類の前記バイメタルを備え、
前記２種類のバイメタルのそれぞれの変形に応じて所定の温度範囲で前記開閉部材が前記通風路を開くように構成されていることを特徴とする通風口装置。
【発明の詳細な説明】
【技術分野】
【０００１】
本発明は、建物の壁等に設置され、外気を室内に導入して換気を行うための通風口装置に関する。
【背景技術】
【０００２】
従来、例えばマンションやオフィスビル、住宅などの建物は、壁などに形成した開口部に通風口（通風口装置）を設け、この通風口を通じて外気を室内に導入して換気を行うようにしている（例えば、特許文献１、特許文献２参照）。
【先行技術文献】
【特許文献】
【０００３】
【特許文献１】特開２０００−１２１１３０号公報
【特許文献２】特開２００３−１６１５００号公報
【発明の概要】
【発明が解決しようとする課題】
【０００４】
一方、従来、この種の通風口は、その開閉を手動で行う手動式通風口と電動で行う電動式通風口とに大別される。そして、電動式通風口は、例えば、外気温度をセンサーで検知し、この検知結果に基づいて、外気導入が省エネの観点で望ましい場合に、通風口（通風路）を「開」とし、そうでない場合に「閉」となるように、開閉制御する。
【０００５】
しかしながら、上記のような電動式通風口は、電動で開閉制御するため、電力供給用の配線や開閉制御用の配線が必要になり、通風口のコスト、さらに設備工事のコストが必要になって割高になるという欠点があった。ちなみに、手動式通風口は、低コストであるが、開閉が面倒であり、閉め忘れなどで省エネ効果が失われる。
【０００６】
本発明は、上記事情に鑑み、電力供給や開閉制御のための配線を必要とせずに、外気の温度に応じて自動的に開閉することを可能にした通風口装置を提供することを目的とする。
【課題を解決するための手段】
【０００７】
上記の目的を達するために、この発明は以下の手段を提供している。
【００１０】
本発明の通風口装置は、建物の外部から内部に外気を導入するための通風口装置であって、軸線周りに回転可能に軸支された軸部に一体に設けられ、且つ前記外気が流通する通風路内に配設され、前記軸部の回転とともに前記通風路を開閉して前記外部と前記内部を連通／遮断する開閉部材と、外気の温度に応じて変形し、該変形によって生じる力を前記軸部に伝達して前記軸部を回転させるバイメタルとを備えるとともに、外気の温度に応じて変形する２種類の前記バイメタルを備え、前記２種類のバイメタルのそれぞれの変形に応じて所定の温度範囲で前記開閉部材が前記通風路を開くように構成されていることを特徴とする。
【００１１】
この発明においては、バイメタルが外気の温度を検知し、この外気の温度の高低に応じて伸縮変形すると、この変形によって生じる力が軸部に伝達され、軸部を軸線周りに回転させることができ、軸部に一体に設けられた開閉部材を軸部とともに回動させることができる。そして、例えば、建物の内部に外気を取り込むことで省エネ効果が得られる外気温のときには、開閉部材が回動するとともに通風路が開くようにし、外気温が高くまたは低く、外気を取り込むことで暖房や冷房負荷が増大する外気温のときには、開閉部材が回動するとともに通風路が閉じるようにし、外気の温度に応じて自動的に通風路を開閉することができる。
【発明の効果】
【００１２】
本発明の通風口装置においては、外気の温度に応じてバイメタルが変形することによって、外気の温度に応じて自動的に開閉部材を開閉駆動させることができる。よって、従来のように電力供給のための配線や駆動制御のための配線を設けることなく、所望の外気の温度に応じて開閉部材を自動的に開閉させることができ、安価で、確実に省エネ効果を得ることが可能な通風口装置を提供することが可能になる。
【図面の簡単な説明】
【００１３】
【図１】本発明の第１実施形態に係る通風口装置を示す斜視図である。
【図２】本発明の第１実施形態に係る通風口装置を示す斜視図である。
【図３】図２のＸ１−Ｘ１線矢視図であり、本発明の第１実施形態に係る通風口装置を示す図である。
【図４】図２のＸ２−Ｘ２線矢視図であり、本発明の第１実施形態に係る通風口装置の開閉機構の動作を示す図である。
【図５】本発明の第２実施形態に係る通風口装置を示す斜視図である。
【図６】図５のＸ１−Ｘ１線矢視図であり、本発明の第２実施形態に係る通風口装置を示す図である。
【図７】図５のＸ２−Ｘ２線矢視図であり、本発明の第２実施形態に係る通風口装置を示す図である。
【図８】本発明の第２実施形態に係る通風口装置の開閉機構を示す図である。
【図９】本発明の第２実施形態に係る通風口装置の開閉機構の動作を示す図である。
【図１０】本発明の第１、第２実施形態に係る通風口装置に加え、排気用ファンの稼働によって外気の取り込みを制御する構成の一例を示す図である。
【図１１】本発明の第２実施形態に係る通風口装置の開閉機構の変更例を示す図である。
【図１２】図１１の開閉機構の動作を示す図である。
【発明を実施するための形態】
【００１４】
以下、図１から図４を参照し、本発明の第１実施形態に係る通風口装置について説明する。本実施形態は、外気を室内に導入して換気を行うための通風口装置に関するものである。
【００１５】
本実施形態の通風口装置Ａは、図１及び図２に示すように、建物の壁などに形成した開口部に設置され、建物の外部（室外）Ｔ１と内部（室内）Ｔ２を連通させる通風路Ｒを形成するケーシング１と、建物の外部Ｔ１と室内Ｔ２を連通／遮断するようにケーシング１の通風路Ｒを開閉する開閉機構２とを備えている。
【００１６】
ケーシング１は、図１から図３に示すように、建物の外部Ｔ１側の壁面（壁、窓）３に沿う前壁部１ａに通風路Ｒの開口である外気導入口４が形成され、室内Ｔ２側の天板部１ｂに開口して外気給気口５が形成され、これら外気導入口４から外気給気口５に連通する内部空間が通風路Ｒとされている。なお、外気導入口４には、通風路Ｒに導入する外気Ｇを整流したり、雨水の侵入を防止したり、通風路Ｒの内部を隠しつつ、外気導入口４の美観を向上させるなどを目的とした部材を設けるようにしてもよい。
【００１７】
また、本実施形態では、ケーシング１の天板部１ｂが水平面状の上面と下面（ケーシング１の内面）を備えて平板状に形成され、外気給気口５が、この天板部１ｂの上面から下面に貫通する複数のスリット孔として形成されている。
【００１８】
さらに、本実施形態の通風口装置Ａにおいては、通風路Ｒに隣接し、且つ通風路Ｒと区画した開閉機構収容部（開閉機構収容室）６がケーシング１によって形成されている。この開閉機構収容部６は、室外Ｔ１側の前壁部１ｃに外気温感知用開口７を設け、外気温感知用開口７によって外気Ｇを内部に導入し、内部温度を外気Ｇの温度と略同等にすることができるように形成されている。ここで、開閉機構収容部６は、確実に内部温度が外気温感知用開口７から導入した外気Ｇの温度と略同等になるように、側壁部１ｄ、１ｅや後壁部１ｆ、天板部１ｇの内面に断熱材（不図示）を設置するなどして形成されていることが望ましい。
【００１９】
一方、本実施形態の開閉機構２は、図１から図４に示すように、ケーシング１の天板部１ｂの下方に、建物の壁面３に沿う横方向の前後方向Ｓ１にスライド移動可能に重ねて配設された平板状の開閉板（開閉部材）１０と、開閉板１０を前後方向Ｓ１にスライド移動させるためのバイメタル１１とを備えて構成されている。
【００２０】
また、開閉板１０は、上面から下面に貫通する複数のスリット状の連通孔１２を備えて形成されている。そして、この開閉板１０は、前後方向Ｓ１にスライド移動させることにより、また、そのスライド移動量に応じ、天板部１ｂのスリット孔５に連通孔１２が上下方向Ｓ２に重なってケーシング１の通風路Ｒを室内Ｔ２に連通させたり、天板部１ｂのスリット孔５に隣り合う連通孔１２の間の板部１３が上下方向Ｓ２に重ねてスリット孔５を閉塞させることができるように形成されている。
【００２１】
また、開閉板１０は、前後方向Ｓ１一端部１０ａ側（前端部側）が通風路Ｒ内に配されてケーシング１の天板部１ｂに重ねられ、他端部１０ｂ側（後端部側）がケーシング１の一側壁部１ｄから開閉機構収容部６内に延出して配設されている。さらに、図４に示すように、開閉板１０には、所定のスライド移動量に達するとともにケーシング１の一側壁部１ｄに当接し、開閉板１０のスライド移動を規制する規制部材１４が一体に設けられている。
【００２２】
次に、図１から図４に示すように、本実施形態のバイメタル１１は、熱膨張率が異なる金属板を貼り合せて略Ｕ字状に形成されている。そして、このＵ字状のバイメタル１１は、一端１１ａ側をケーシング１の側壁部１ｅなどに固着し、他端１１ｂ側を開閉板１０の他端部１０ｂ側に固着して、開閉機構収容部６内に配設されている。このとき、ケーシング１や開閉板１０に接続するこれら一端１１ａ側と他端１１ｂ側は、断熱材で被覆するなどして温度の影響を極力受けないように処理されていることが望ましい。
【００２３】
上記構成からなる本実施形態の通風口装置Ａにおいては、開閉機構収容部６に外気温感知用開口７が設けられているため、この外気温感知用開口７を通じて外気Ｇの温度が開閉機構収容部６内に収容したＵ字状のバイメタル１１に伝わる。そして、例えば図４（ａ）に示すように、外気Ｇの温度が例えば１０℃以下など、ある低温の設定温度以下であると、バイメタル１１が縮み、このバイメタル１１の変形によって生じる力が伝達して開閉板１０が他端部１０ｂ側を開閉機構収容部６内に引き込むように後方にスライド移動し、ケーシング１の天板部１ｂのスリット孔（外気給気口）５と開閉板１０の板部１３が上下方向Ｓ２に重なる。これにより、外気Ｇの温度がある低温の設定温度以下である場合には、外気給気口のスリット孔５が開閉板１０の板部１３によって閉塞され、この開閉板１０によって自動的に通風路Ｒが閉じた状態となり、室外Ｔ１から室内Ｔ２への外気Ｇの給気が停止する。
【００２４】
次に、ある低温の設定温度から徐々に外気Ｇの温度が上がると、それに従い、図４（ａ）、（ｂ）に示すように、バイメタル１１が伸び始め、このバイメタル１１の変形によって生じる力が伝達して開閉板１０が前方にスライド移動し、ケーシング１の天板部１ｂのスリット孔５と開閉板１０の連通孔１２が徐々に重なる。これにより、外気給気口のスリット孔５と開閉板１０の連通孔１２が連通し、通風路Ｒが開いた状態となり、開閉板１０のスライド移動量、ひいてはスリット孔５、通風路Ｒの開度に応じた量の外気Ｇが、外気導入口４から導入されて通風路Ｒを流通し外気給気口のスリット孔５から室内Ｔ２に給気される。また、このとき、外気Ｇの温度に応じてバイメタル１１の変形量、ひいては外気給気口のスリット孔５の開度が自動的に調節される。このため、通風路Ｒを流通して室内Ｔ２に導入する外気Ｇの流量も外気Ｇの温度に応じて調節されることになる。そして、ある中温の設定温度に外気Ｇの温度が達すると、図４（ｂ）に示すように、スリット孔５の全てが開閉板１０の連通孔１２と重なって開き、全開の外気給気口５から、それに応じた流量の外気Ｇが室内Ｔ２に給気される。
【００２５】
次に、外気Ｇの温度が例えば２２℃以上など、ある高温の設定温度以上になると、図４（ｃ）に示すように、バイメタル１１がさらに伸び、このバイメタル１１の変形によって生じる力が伝達して開閉板１０がさらに前方にスライド移動する。これに伴い、ケーシング１の天板部１ｂのスリット孔５と開閉板１０の板部１３が上下方向Ｓ２に重なり、スリット孔５が閉塞される。これにより、外気Ｇの温度がある高温の設定温度以上になると、開閉板１０によって自動的に通風路Ｒが閉じた状態となり、室外Ｔ１から室内Ｔ２への外気Ｇの給気が停止する。
【００２６】
また、外気Ｇの温度が低下するときには、上記と逆の動作によって通風路Ｒが開閉し、同様に外気Ｇの給気量が自動的に調節される。
【００２７】
このように、本実施形態の通風口装置Ａにおいては、外気Ｇの温度をバイメタル１１が感知し、この外気Ｇの温度に応じてバイメタル１１が変形することで、開閉板１０による通風路Ｒの開閉駆動が自動的に行われ、外気Ｇの供給量が自動的に調節される。
【００２８】
したがって、本実施形態の通風口装置Ａにおいては、バイメタル１１が外気Ｇの温度を検知し、この外気Ｇの温度の高低に応じて伸縮変形すると、この変形によって生じる力が開閉板（開閉部材）１０に伝達され、開閉板１０を前後にスライド移動させることができる。そして、開閉板１０に複数のスリット状の連通孔１２が形成されているため、建物の内部Ｔ２に外気Ｇを取り込むことで省エネ効果が得られる外気温のときには、開閉板１０がスライド移動するとともに連通孔１２と重なって外気給気口のスリット孔５が開くようにし、外気温が高くまたは低く、外気Ｇを取り込むことで暖房や冷房負荷が増大する外気温のときには、開閉板１０がスライド移動するとともに隣り合う連通孔１２の間の板部１３と重なってスリット孔５が閉じるようにし、外気Ｇの温度に応じて自動的に外気給気口のスリット孔５ひいては通風路Ｒを開閉することができる。
【００２９】
よって、本実施形態の通風口装置Ａによれば、外気Ｇの温度に応じてバイメタル１１が変形することによって、外気Ｇの温度に応じて自動的に開閉板１０を開閉駆動させることができる。これにより、従来のように電力供給のための配線や駆動制御のための配線を設けることなく、所望の外気Ｇの温度に応じて開閉板１０を自動的に開閉させることができ、安価で、確実に省エネ効果を得ることが可能な通風口装置Ａを提供することが可能になる。
【００３０】
次に、図５から図９を参照し、本発明の第２実施形態に係る通風口装置について説明する。本実施形態の通風口装置は、第１実施形態と同様、外気を室内に導入して換気を行うための通風口装置に関するものであり、第１実施形態に対し、主に開閉機構の構成が異なる。よって、本実施形態では、第１実施形態と同様の構成に対して同一符号を付し、その詳細な説明を省略する。
【００３１】
図５から図７に示すように、本実施形態の通風口装置Ｂは、第１実施形態と同様、建物の外部（室外）Ｔ１と内部（室内）Ｔ２を連通させる通風路Ｒを形成するケーシング１と、通風路Ｒを開閉して建物の外部Ｔ１と室内Ｔ２を連通／遮断する開閉機構１５とを備えて構成されている。
【００３２】
一方、本実施形態の開閉機構１５は、外気導入口４から外気給気口５に向けて通風路Ｒを流通する外気Ｇの流通方向に略直交する横方向の前後方向Ｓ１に延びて通風路Ｒ内に配設されるとともに、前後方向Ｓ１に延びる軸線Ｏ１周りに回転可能に軸支された軸部１６と、上下方向Ｓ２略中央を軸部１６に接続して支持された開閉板（開閉部材、流量調整板）１７と、ケーシング１の内面に一端１８ａを、軸部１６を境にした開閉板１７の上端部側に他端１８ｂをそれぞれ接続して設けられたバネなどの弾性体１８と、軸部１６を軸線Ｏ１周りに正逆回転させて通風路Ｒを開閉するように開閉板１７を回動させるバイメタル１９、２０とを備えている。
【００３３】
また、軸部１６は、図６に示すように、軸線Ｏ１方向一端部１６ａ側と他端部１６ｂ側をそれぞれケーシング１あるいは軸受け２１に軸支して回転可能に配設されている。そして、開閉板１７は、図７に示すように、上端部側を通風路Ｒの外気給気口５側の部分に、下端部側を通風路Ｒの外気導入口４側の部分にそれぞれ配設し、且つ下端部側の一面が外気導入口４側を向くように設けられている。
【００３４】
さらに、図５及び図６に示すように、軸部１６は、その軸線Ｏ１方向他端部１６ｂ側がケーシング１の一側壁部１ｄから軸線Ｏ１方向外側に延出して開閉機構収容部（開閉機構収容室）６内に配され、この他端部１６ｂ側を軸受け２１で回転可能に軸支して設けられている。また、この開閉機構収容部６は、第１実施形態と同様に、室外Ｔ１側の前壁部１ｃに、室外Ｔ１と内部Ｔ２を連通させる外気温感知用開口７を設け、この外気温感知用開口７によって内部温度が外気温に応じた温度となるように形成されている。
【００３５】
また、本実施形態の開閉機構１５では、図６及び図８に示すように、熱膨張率が異なる金属板を貼り合せて形成された２種類のバイメタル１９、２０を備えて構成されている。さらに、これら２つのバイメタル１９、２０はそれぞれ、螺旋状に形成され、ケーシング１や軸受け２１などに一端１９ａ、２０ａを固着し、軸部１６の軸線Ｏ１方向他端部１６ｂ側から一端部１６ａ側に向け、軸部１６に巻き回すように配設されている。また、このとき、一方のバイメタル１９は、高膨張側を外側に配し（外面とし）、軸部１６を内包するように巻き回され、他方のバイメタル２０は、高膨張側を内側に配し（内面とし）、一方のバイメタル１９及び軸部１６を内包するように巻き回されている。
【００３６】
さらに、図９に示すように、開閉機構収容部６内に配される軸部１６の他端部１６ｂ側には、一端を軸部１６の外周面に接続し、軸部１６の外周面から径方向外側に突出する平板状の押圧板（押圧部材）２２が一体に設けられている。また、この押圧板２２は、板面を軸部１６の周方向に向けて設けられている。そして、一方のバイメタル１９と他方のバイメタル２０は、互いの他端１９ｂ、２０ｂが軸部１６の軸線Ｏ１方向の略同位置に配され、押圧板２２の板面と軸部１６の軸線Ｏ１中心の周方向で対向するように配設されている。
【００３７】
また、図７に示すように、ケーシング１の通風路Ｒ内には、必要に応じて、通風路Ｒを流通する外気Ｇが通過するとともに外気Ｇに含まれた虫や花粉、粉塵などの異物を捕捉して除去するフィルター２３が設けられている。さらに、通風路Ｒ内には、外気導入口４から導入して通風路Ｒを外気Ｇが流通することにより、また、通風路Ｒ内で外気Ｇの流通方向が変化することなどによって発生した音を吸収し、異音の発生を抑止するための吸音材２４が設けられている。吸音材２４は、例えば、ステンレスファイバーやセラミックファイバーなどを用いて形成される。
【００３８】
上記構成からなる本実施形態の通風口装置Ｂにおいては、開閉機構収容部６に外気温感知用開口７が設けられているため、この外気温感知用開口７を通じて外気Ｇの温度が開閉機構収容部６内に収容した開閉機構１５の２つのバイメタル１９、２０に伝わる。そして、外気Ｇの温度が例えば１０℃以下など、ある低温の設定温度以下であると、図９（ａ）に示すように、一方のバイメタル１９が縮んで回転し、他方のバイメタル２０が伸びて回転し、他方のバイメタル２０の他端２０ｂが押圧板２２の板面に当接してこの押圧板２２を押圧する。
【００３９】
これにより、ある低温の設定温度以下では、図７（ｂ）及び図９（ａ）に示すように、押圧板２２が他方のバイメタル２０に押されて、軸部１６が軸線Ｏ１中心の一方向Ｐ１に回転し、これとともに開閉板１７が軸線Ｏ１中心の一方向Ｐ１に回動して通風路Ｒを閉塞する。よって、外気Ｇの温度がある低温の設定温度以下である場合には、この外気Ｇの温度に応じてバイメタル１９、２０が変形し、このバイメタル１９、２０の変形によって生じた力で軸部１６が回転し、軸部１６の回転とともに回動した開閉板１７によって自動的に通風路Ｒが閉じた状態となり、室外Ｔ１から室内Ｔ２への外気Ｇの給気が停止する。
【００４０】
次に、図７（ａ）及び図９（ｂ）に示すように、ある低温の設定温度から徐々に外気Ｇの温度が上がると、それに従い、他方のバイメタル２０が縮み始め、弾性体１８の付勢力によって開閉板１７が軸線Ｏ１中心の他方向Ｐ２に回動し、徐々に通風路Ｒが開いてゆく。これにより、開閉板１７の回動量、ひいては通風路Ｒの開度に応じた量の外気Ｇが、外気導入口４から導入されて通風路Ｒを流通し、外気給気口５から室内Ｔ２に給気される。
【００４１】
また、このように、ある低温の設定温度から徐々に外気Ｇの温度が上がると、それに従い、一方のバイメタル１９が伸び始める。そして、ある中温の設定温度に外気Ｇの温度が達すると、図９（ｃ）に示すように、他方のバイメタル２０が縮み、弾性体１８の付勢力によって開閉板１７が他方向Ｐ２に回動し、通風路Ｒが全開の状態になる。また、このように、ある中温の設定温度に外気Ｇの温度が達した状態で、一方のバイメタル１９が伸び、その他端１９ｂが押圧板２２の板面に当接する。すなわち、開閉板１７が他方向Ｐ２に回動して通風路Ｒが全開になった状態で、一方のバイメタル１９と他方のバイメタル２０の互いの他端１９ｂ、２０ｂが押圧板２２の板面に当接するように両バイメタル１９、２０が形成されている。
【００４２】
次に、図７（ａ）及び図９（ｄ）に示すように、ある中温の設定温度からさらに外気Ｇの温度が上がると、それに従い、他方のバイメタル２０がさらに縮み、一方のバイメタル１９が伸びる。これにより、今度は、一方のバイメタル１９によって押圧板２２が押圧され、軸部１６が軸線Ｏ１中心の一方向Ｐ１に回転し始めるとともに開閉板１７が軸線Ｏ１中心の一方向Ｐ１に回動し、徐々に通風路Ｒが閉じてゆき、外気Ｇの給気量が少なくなってゆく。
【００４３】
そして、図７（ｂ）及び図９（ｅ）に示すように、外気Ｇの温度が例えば２２℃以上など、ある高温の設定温度以上になると、一方のバイメタル１９の他端１９ｂが当接して押圧板２２を押圧し、開閉板１７が軸線Ｏ１中心の一方向Ｐ１に回動した状態で保持され、この開閉板１７によって通風路Ｒが閉塞する。よって、外気Ｇの温度がある高温の設定温度以上である場合には、開閉板１７によって自動的に通風路Ｒが閉じた状態となり、室外Ｔ１から室内Ｔ２への外気Ｇの給気が停止する。
【００４４】
また、第１実施形態と同様に、外気Ｇの温度が、ある高温の設定温度から低下するときには、上記と逆の動作によって通風路Ｒが開閉し、外気Ｇの給気量が自動的に調節される。
【００４５】
このように、本実施形態の通風口装置Ｂにおいても、外気Ｇの温度をバイメタル１９、２０が感知し、この外気Ｇの温度に応じてバイメタル１９、２０が変形することで、開閉板１７による通風路Ｒの開閉駆動が自動的に行われ、それに応じて外気Ｇの供給量が自動的に調節される。 
【００４６】
したがって、本実施形態の通風口装置Ｂにおいては、バイメタル１９、２０が外気Ｇの温度を検知し、この外気Ｇの温度の高低に応じて伸縮変形すると、この変形によって生じる力が軸部１６に伝達され、軸部１６を軸線Ｏ１周りに回転させることができ、軸部１６に一体に設けられた開閉板（開閉部材）１７を軸部１６とともに回動させることができる。そして、建物の内部Ｔ２に外気Ｇを取り込むことで省エネ効果が得られる外気温のときには、開閉板１７が回動するとともに通風路Ｒが開くようにし、外気温が高くまたは低く、外気Ｇを取り込むことで暖房や冷房負荷が増大する外気温のときには、開閉板１７が回動するとともに通風路Ｒが閉じるようにし、外気Ｇの温度に応じて自動的に通風路Ｒを開閉することができる。
【００４７】
よって、本実施形態の通風口装置Ｂにおいても、外気Ｇの温度に応じてバイメタル１９、２０が変形することによって、外気Ｇの温度に応じて自動的に開閉板１７を開閉駆動させることができる。これにより、従来のように電力供給のための配線や駆動制御のための配線を設けることなく、所望の外気の温度に応じて開閉板１７を自動的に開閉させることができ、安価で、確実に省エネ効果を得ることが可能な通風口装置Ｂを提供することが可能になる。
【００４８】
また、本実施形態の通風口装置Ｂにおいては、開閉板１７が通風路Ｒ内に配設され、且つ弾性体１８によって付勢されているため、外気導入口４から強風、高圧の外気Ｇが導入された際に、この外気Ｇの圧力によって自動的に開閉板１７が回動して通風路Ｒが閉塞される。これにより、外気Ｇの温度だけでなく、外気Ｇの圧力によっても通風路Ｒを自動的に開閉することができ、より好適に室内Ｔ２への外気Ｇの給気、換気を行なうことが可能になる。
【００４９】
また、ケーシング１内に吸音材２４を設け、通風路Ｒを外気Ｇが流通することによって発生する音を吸音材２４によって吸収して減衰させるように構成されている。これにより、外気Ｇを室内Ｔ２に取り込むことによって、異音が発生することを抑止でき、住環境などを乱すことなく、好適に換気を行うことができる。
【００５０】
さらに、ケーシング１内にフィルター２３を設け、外気給気口５から室内Ｔ２に給気される前に、通風路Ｒを流通する外気Ｇがフィルター２３を通過するように構成されている。これにより、外気Ｇに虫や花粉、粉塵などの異物が含まれている場合であっても、これら異物をフィルター２３によって捕捉して除去することができ、住環境などを乱すことなく、好適に換気を行うことが可能になる。
【００５１】
以上、本発明に係る通風口装置の第１、第２実施形態について説明したが、本発明は上記の実施形態に限定されるものではなく、その趣旨を逸脱しない範囲で適宜変更可能である。
【００５２】
例えば図１０に示すように、室内Ｔ２側に排気用ファン２５を設け、この排気用ファン２５を外気導入に適した外気条件であると判断された場合に稼働させるようにしてもよい。この場合には、外気Ｇの温度に応じて開閉板１０が開閉することによって外気Ｇの供給量を自動的に調節することに加え、排気用ファン２５の稼働によって外気Ｇの供給量（室内Ｔ２への取り込み）を調節することができる。これにより、外気Ｇの取り込みをさらに効率的に行なうことが可能になる。
【００５３】
また、第２実施形態では、開閉機構１５が、螺旋状に形成された２つのバイメタル１９、２０を備えるとともに、これらバイメタル１９、２０を軸部１６に巻き回すように配置し、外気Ｇの温度に応じてバイメタル１９、２０が伸縮することによって軸部１６ひいては開閉板１７を自動的に回動させ、通風路Ｒを開閉するように構成されているものとした。
【００５４】
これに対し、例えば図１１及び図１２に示すように、Ｕ字状に形成された２つのバイメタル２６、２７を備えるとともに、軸部１６に一端を接続し、軸線Ｏ１直交方向外側（周方向外側）に突設した押圧棒（押圧部材）２８を備えて開閉機構２９を構成してもよい。このとき、一方のバイメタル２６は、一端２６ａのみをケーシング１（側壁部１ｄ）に固定して設置されるとともに、押圧棒２８が一方のバイメタル２６の互いに平行に延びる一端２６ａ側の直棒部２６ｂと他端２６ｃ側の直棒部２６ｄの間に、且つ他端２６ｃ側の直棒部２６ｄとの間に所定の隙間をあけて配されるようにして設置される。また、他方のバイメタル２７は、一端２７ａのみをケーシング１（側壁部１ｄ）に固定して設置されるとともに、押圧棒２８が他端２７ｃ側の直棒部２７ｄの外側に（他端２７ｃ側の直棒部１７ｄを間にして一端２７ａ側の直棒部２７ｂと反対側に）、且つ他端２７ｃ側の直棒部２７ｄとの間に所定の隙間をあけて配されるようにして設置される。
【００５５】
そして、このように開閉機構２９を構成した場合には、各バイメタル２６、２７が他端２６ｃ、２７ｃを自由端にして設置されているため、例えば、外気の温度が下がると、各バイメタル２６、２７が縮んで、一端側の直棒部２６ｂ、２７ｂと他端側の直棒部２６ｄ、２７ｄの間隔が狭くなり、外気の温度が上がると、各バイメタル２６、２７が伸びて、一端側の直棒部２６ｂ、２７ｂと他端側の直棒部２６ｄ、２７ｄの間隔が広がる。これにより、外気の温度が下がると、一方のバイメタル２６の他端側の直棒部２６ｄが押圧棒２８に当接してこの押圧棒２８を押圧し、軸部１６が軸線Ｏ１周りの一方向Ｐ１に回転する。また、外気の温度が上がると、他方のバイメタル２７の他端側の直棒部２７ｄが押圧棒２８に当接してこの押圧棒２８を押圧し、軸部１６が軸線Ｏ１周りの他方向Ｐ２に回転する。よって、これらＵ字状のバイメタル２６、２７が押圧棒２８を押圧し、また、弾性体１８の付勢力が開閉板１７に作用することで、第２実施形態と同様に、外気Ｇの温度に応じて軸部１６ひいては開閉板１７を正逆回転させて通風路Ｒを開閉することができ、外気Ｇの給気量を自動的に調節することができる。すなわち、このように開閉機構２９を構成した場合であっても、第２実施形態と同様の作用効果を得ることが可能である。
【符号の説明】
【００５６】
１      ケーシング
１ａ    前壁部
１ｂ    天板部
１ｃ    前壁部
１ｄ    側壁部
１ｅ    側壁部
１ｆ    後壁部
１ｇ    天板部
２      開閉機構
３      壁面（壁、窓）
４      外気導入口
５      外気給気口（スリット孔）
６      開閉機構収容部
７      外気温感知用開口
１０    開閉板（開閉部材）
１０ａ  一端部
１０ｂ  他端部
１１    バイメタル
１１ａ  一端
１１ｂ  他端
１２    連通孔
１３    板部
１４    規制部材
１５    開閉機構
１６    軸部
１６ａ  一端部
１６ｂ  他端部
１７    開閉板（開閉部材、流量調整板）
１８    弾性体
１８ａ  一端
１８ｂ  他端
１９    バイメタル（一方のバイメタル）
１９ａ  一端
１９ｂ  他端
２０    バイメタル（他方のバイメタル）
２０ａ  一端
２０ｂ  他端
２１    軸受け
２２    押圧板（押圧部材）
２３    フィルター
２４    吸音材
２５    排気用ファン
２６    バイメタル
２６ａ  一端
２６ｂ  直棒部
２６ｃ  他端
２６ｄ  直棒部
２７    バイメタル
２７ａ  一端
２７ｂ  直棒部
２７ｃ  他端
２７ｄ  直棒部
２８    押圧棒（押圧部材）
２９    開閉機構
Ａ      通風口装置
Ｂ      通風口装置
Ｇ      外気
Ｏ１    軸線
Ｐ１    一方向
Ｐ２    他方向
Ｒ      通風路
Ｓ１    前後方向（横方向）
Ｓ２    上下方向
Ｔ１    室外（外部）
Ｔ２    室内（内部）
【図１】
0005870451.tif 000002
【図２】
0005870451.tif 000003
【図３】
0005870451.tif 000004
【図４】
0005870451.tif 000005
【図５】
0005870451.tif 000006
【図６】
0005870451.tif 000007
【図７】
0005870451.tif 000008
【図８】
0005870451.tif 000009
【図９】
0005870451.tif 000010
【図１０】
0005870451.tif 000011
【図１１】
0005870451.tif 000012
【図１２】
0005870451.tif 000013